(57)【要約】【課題】発側通信端末から通信接続の要求を受けた場合に、発側通信端末が接続を要求している通信方式で通信するか否かの許可／不許可を自動的に判断して、発側通信端末との通信を自動的に設定する。【解決手段】本発明に係る通信端末は、予め定められたセキュリティレベルを格納するセキュリティレベル格納部と、通信端末識別情報で識別される通信端末に許可されている通信方式を格納する通信方式格納部と、通信相手の通信端末を識別する通信端末識別情報を取得する通信端末識別子取得部と、通信方式に対応づけてセキュリティレベル格納部が格納しているセキュリティレベル以下のセキュリティレベルの通信方式による通信を許可する通信許可部と、通信方式に対応づけてセキュリティレベル格納部が格納しているセキュリティレベルより高いセキュリティレベルの通信方式による通信を禁止する通信禁止部とを備える。【選択図】図２
2008104116.tif 000002
【特許請求の範囲】
【請求項１】
複数の通信方式で通信する通信端末であって、
複数の通信方式のそれぞれに対応づけて、予め定められたセキュリティレベルを格納するセキュリティレベル格納部と、
当該通信端末の他の通信端末を識別する通信端末識別情報に対応づけて、前記通信端末識別情報で識別される通信端末に許可されている通信方式を格納する通信方式格納部と、
通信相手の通信端末から、前記通信相手の前記通信端末を識別する通信端末識別情報を取得する通信端末識別子取得部と、
前記通信端末識別子取得部が取得した通信端末識別情報に対応づけて前記通信方式格納部が格納している通信方式を参照し、参照された通信方式に対応づけて前記セキュリティレベル格納部が格納しているセキュリティレベル以下のセキュリティレベルの通信方式による、前記通信相手の前記通信端末との通信を許可する通信許可部と、
前記通信端末識別子取得部が取得した通信端末識別情報に対応づけて前記通信方式格納部が格納している通信方式を参照し、参照された通信方式に対応づけて前記セキュリティレベル格納部が格納しているセキュリティレベルより高いセキュリティレベルの通信方式による、前記通信相手の前記通信端末との通信を禁止する通信禁止部と
を備える通信端末。
【請求項２】
複数の通信方式は、半二重のＰＴＴ通信方式、全二重のＴＶ電話通信方式、および全二重の音声通信方式を含み、
前記セキュリティレベル格納部は、半二重のＰＴＴ通信方式、全二重のＴＶ電話通信方式、および全二重の音声通信方式のそれぞれのセキュリティレベルを格納し、
前記通信許可部は、前記通信端末識別子取得部が取得した通信端末識別情報に対応づけて前記通信方式格納部が半二重のＰＴＴ通信方式を格納している場合に、全二重のＴＶ電話通信方式および全二重の音声通信方式による、前記通信相手の前記通信端末との通信を許可する
請求項１に記載の通信端末。
【請求項３】
複数の通信方式は、半二重のＰＴＴ通信方式、および全二重のＴＶ電話通信方式を含み、
前記セキュリティレベル格納部は、半二重のＰＴＴ通信方式、および全二重のＴＶ電話通信方式のそれぞれのセキュリティレベルを格納し、
前記通信許可部は、前記通信端末識別子取得部が取得した通信端末識別情報に対応づけて前記通信方式格納部が半二重のＰＴＴ通信方式を格納している場合に、全二重のＴＶ電話通信方式による、前記通信相手の前記通信端末との通信を許可する
請求項１に記載の通信端末。
【請求項４】
複数の通信方式は、半二重のＰＴＴ通信方式、および全二重の音声通信方式を含み、
前記セキュリティレベル格納部は、半二重のＰＴＴ通信方式、および全二重の音声通信方式のそれぞれのセキュリティレベルを格納し、
前記通信許可部は、前記通信端末識別子取得部が取得した通信端末識別情報に対応づけて前記通信方式格納部が半二重のＰＴＴ通信方式を格納している場合に、全二重の音声通信方式による、前記通信相手の前記通信端末との通信を許可する
請求項１に記載の通信端末。
【請求項５】
複数の通信方式は、半二重のＰＴＴ通信方式、全二重のＴＶ電話通信方式、および全二重の音声通信方式を含み、
前記セキュリティレベル格納部は、半二重のＰＴＴ通信方式、全二重のＴＶ電話通信方式、および全二重の音声通信方式のそれぞれのセキュリティレベルを格納し、
前記通信許可部は、前記通信端末識別子取得部が取得した通信端末識別情報に対応づけて前記通信方式格納部が全二重のＴＶ電話通信方式を格納している場合に、全二重の音声通信方式による、前記通信相手の前記通信端末との通信を許可し、
前記通信禁止部は、半二重のＰＴＴ通信方式による、前記通信相手の前記通信端末との通信を禁止する
請求項１に記載の通信端末。
【請求項６】
複数の通信方式は、半二重のＰＴＴ通信方式、全二重のＴＶ電話通信方式、および全二重の音声通信方式を含み、
前記セキュリティレベル格納部は、半二重のＰＴＴ通信方式、全二重のＴＶ電話通信方式、および全二重の音声通信方式のそれぞれのセキュリティレベルを格納し、
前記通信禁止部は、前記通信端末識別子取得部が取得した通信端末識別情報に対応づけて前記通信方式格納部が全二重の音声通信方式だけを格納している場合に、半二重のＰＴＴ通信方式、および全二重のＴＶ電話通信方式による、前記通信相手の前記通信端末との通信を禁止する
請求項１に記載の通信端末。
【請求項７】
前記通信方式格納部は、複数の通信端末識別情報を含む複数のグループのそれぞれに許可されている通信方式を格納し、
前記通信許可部は、前記通信端末識別子取得部が取得した通信端末識別情報を含むグループに対応づけて前記通信方式格納部が格納している通信方式を参照し、参照された通信方式に対応づけて前記セキュリティレベル格納部が格納しているセキュリティレベル以下のセキュリティレベルの通信方式による、前記通信相手の前記通信端末との通信を許可し、
前記通信禁止部は、前記通信端末識別子取得部が取得した通信端末識別情報を含むグループに対応づけて前記通信方式格納部が格納している通信方式を参照し、参照された通信方式に対応づけて前記セキュリティレベル格納部が格納しているセキュリティレベルより高いセキュリティレベルの通信方式による、前記通信相手の前記通信端末との通信を禁止する
請求項１に記載の通信端末。
【請求項８】
前記通信端末識別子に対応づけて、前記通信端末識別情報で識別される通信端末に許可されていない通信方式を格納する不許可通信方式格納部
をさらに備え、
前記通信禁止部は、前記通信端末識別子取得部が取得した通信端末識別情報に対応づけて前記不許可通信方式格納部が格納している通信方式を参照し、参照された通信方式に対応づけて前記セキュリティレベル格納部が格納しているセキュリティレベルにかかわらず、参照された通信方式による、前記通信相手の前記通信端末との通信を禁止する
請求項１に記載の通信端末。
【請求項９】
当該通信端末の他の通信端末を識別する通信端末識別情報に対応づけて、前記通信端末識別情報で識別される通信端末との通信量を格納する通信量格納部と、
前記通信量格納部が格納している通信量が予め定められた閾値より大きい場合に、前記通信方式格納部が前記通信端末識別情報に対応づけて格納している通信方式を参照し、参照された通信方式に対応づけて前記セキュリティレベル格納部が格納しているセキュリティレベルより高いセキュリティレベルの通信方式を選択する通信方式選択部と、
前記通信方式選択部が選択した通信方式を、前記通信端末識別情報に対応づけて前記通信方式格納部が格納している通信方式に置き換えて前記通信方式格納部に格納する通信方式更新部と
をさらに備える請求項１に記載の通信端末。
【請求項１０】
複数の通信方式のそれぞれに対応づけて、予め定められたセキュリティレベルをセキュリティレベル格納部に格納するセキュリティレベル格納段階と、
通信端末の他の通信端末を識別する通信端末識別情報に対応づけて、前記通信端末識別情報で識別される通信端末に許可されている通信方式を通信方式格納部に格納する通信方式格納段階と、
通信相手の通信端末から、前記通信相手の前記通信端末を識別する通信端末識別情報を取得する通信端末識別子取得段階と、
前記通信端末識別子取得段階において取得された通信端末識別情報に対応づけて前記通信方式格納部が格納している通信方式を参照し、参照された通信方式に対応づけて前記セキュリティレベル格納部が格納しているセキュリティレベル以下のセキュリティレベルの通信方式による、前記通信相手の前記通信端末との通信を許可する通信許可段階と、
前記通信端末識別子取得段階において取得された通信端末識別情報に対応づけて前記通信方式格納部が格納している通信方式を参照し、参照された通信方式に対応づけて前記セキュリティレベル格納部が格納しているセキュリティレベルより高いセキュリティレベルの通信方式による、前記通信相手の前記通信端末との通信を禁止する通信禁止段階と
を備える通信方法。
【請求項１１】
複数の通信方式で通信する通信端末用の通信プログラムであって、前記通信端末を、
複数の通信方式のそれぞれに対応づけて、予め定められたセキュリティレベルを格納するセキュリティレベル格納部、
当該通信端末の他の通信端末を識別する通信端末識別情報に対応づけて、前記通信端末識別情報で識別される通信端末に許可されている通信方式を格納する通信方式格納部、
通信相手の通信端末から、前記通信相手の前記通信端末を識別する通信端末識別情報を取得する通信端末識別子取得部、
前記通信端末識別子取得部が取得した通信端末識別情報に対応づけて前記通信方式格納部が格納している通信方式を参照し、参照された通信方式に対応づけて前記セキュリティレベル格納部が格納しているセキュリティレベル以下のセキュリティレベルの通信方式による、前記通信相手の前記通信端末との通信を許可する通信許可部、
前記通信端末識別子取得部が取得した通信端末識別情報に対応づけて前記通信方式格納部が格納している通信方式を参照し、参照された通信方式に対応づけて前記セキュリティレベル格納部が格納しているセキュリティレベルより高いセキュリティレベルの通信方式による、前記通信相手の前記通信端末との通信を禁止する通信禁止部
として機能させる通信プログラム。
【請求項１２】
複数の通信方式で通信する通信端末と、複数の通信端末間の通信を制御する通信制御サーバとを備える通信システムであって、
前記通信制御サーバは、
複数の通信方式のそれぞれに対応づけて、予め定められたセキュリティレベルを格納するセキュリティレベル格納部と、
前記通信端末の他の通信端末を識別する通信端末識別情報に対応づけて、前記通信端末識別情報で識別される通信端末に許可されている通信方式を格納する通信方式格納部と、
前記通信端末の通信相手の通信端末から、前記通信相手の前記通信端末を識別する通信端末識別情報を取得する通信端末識別子取得部と、
前記通信端末識別子取得部が取得した通信端末識別情報に対応づけて前記通信方式格納部が格納している通信方式を参照し、参照された通信方式に対応づけて前記セキュリティレベル格納部が格納しているセキュリティレベル以下のセキュリティレベルの通信方式による、前記通信相手の前記通信端末から前記通信端末への通信を許可する通信許可部と、
前記通信端末識別子取得部が取得した通信端末識別情報に対応づけて前記通信方式格納部が格納している通信方式を参照し、参照された通信方式に対応づけて前記セキュリティレベル格納部が格納しているセキュリティレベルより高いセキュリティレベルの通信方式による、前記通信相手の前記通信端末から前記通信端末への通信を禁止する通信禁止部と
を有する通信システム。
【発明の詳細な説明】
【技術分野】
【０００１】
本発明は、通信端末、通信方法、通信プログラム、および通信システムに関する。特に、本発明は、複数の通信方式で通信する通信端末、通信方法、通信プログラム、および通信システムに関する。
【背景技術】
【０００２】
特許文献１には、着側の通信端末において指定した通信方式を発側の通信端末に通知して、発側の通信端末が通知された当該通信方式で着側の通信端末と通信することができる通信システムについて提案されている。
【特許文献１】特開２００３−１６９１３７号公報
【発明の開示】
【発明が解決しようとする課題】
【０００３】
しかしながら、特許文献１に係る発明においては、複数の通信方式がある場合に、複数の通信方式のそれぞれに対して、着側の通信端末が所望する通信方式を発側の通信端末に通知することを要する。したがって、着側の通信端末を利用するユーザに、煩雑な操作を強いる場合がある。
【０００４】
そこで本発明は、上記課題を解決することができる通信端末、通信方法、通信プログラム、および通信システムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、複数の通信方式で通信する通信端末であって、複数の通信方式のそれぞれに対応づけて、予め定められたセキュリティレベルを格納するセキュリティレベル格納部と、当該通信端末の他の通信端末を識別する通信端末識別情報に対応づけて、通信端末識別情報で識別される通信端末に許可されている通信方式を格納する通信方式格納部と、通信相手の通信端末から、通信相手の通信端末を識別する通信端末識別情報を取得する通信端末識別子取得部と、通信端末識別子取得部が取得した通信端末識別情報に対応づけて通信方式格納部が格納している通信方式を参照し、参照された通信方式に対応づけてセキュリティレベル格納部が格納しているセキュリティレベル以下のセキュリティレベルの通信方式による、通信相手の通信端末との通信を許可する通信許可部と、通信端末識別子取得部が取得した通信端末識別情報に対応づけて通信方式格納部が格納している通信方式を参照し、参照された通信方式に対応づけてセキュリティレベル格納部が格納しているセキュリティレベルより高いセキュリティレベルの通信方式による、通信相手の通信端末との通信を禁止する通信禁止部とを備える。
【０００６】
また、複数の通信方式は、半二重のＰＴＴ通信方式、全二重のＴＶ電話通信方式、および全二重の音声通信方式を含み、セキュリティレベル格納部は、半二重のＰＴＴ通信方式、全二重のＴＶ電話通信方式、および全二重の音声通信方式のそれぞれのセキュリティレベルを格納し、通信許可部は、通信端末識別子取得部が取得した通信端末識別情報に対応づけて通信方式格納部が半二重のＰＴＴ通信方式を格納している場合に、全二重のＴＶ電話通信方式および全二重の音声通信方式による、通信相手の通信端末との通信を許可してもよい。
【０００７】
また、本発明の第２の形態においては、複数の通信方式のそれぞれに対応づけて、予め定められたセキュリティレベルをセキュリティレベル格納部に格納するセキュリティレベル格納段階と、通信端末の他の通信端末を識別する通信端末識別情報に対応づけて、通信端末識別情報で識別される通信端末に許可されている通信方式を通信方式格納部に格納する通信方式格納段階と、通信相手の通信端末から、通信相手の通信端末を識別する通信端末識別情報を取得する通信端末識別子取得段階と、通信端末識別子取得段階において取得された通信端末識別情報に対応づけて通信方式格納部が格納している通信方式を参照し、参照された通信方式に対応づけてセキュリティレベル格納部が格納しているセキュリティレベル以下のセキュリティレベルの通信方式による、通信相手の通信端末との通信を許可する通信許可段階と、通信端末識別子取得段階において取得された通信端末識別情報に対応づけて通信方式格納部が格納している通信方式を参照し、参照された通信方式に対応づけてセキュリティレベル格納部が格納しているセキュリティレベルより高いセキュリティレベルの通信方式による、通信相手の通信端末との通信を禁止する通信禁止段階とを備える。
【０００８】
また、本発明の第３の形態においては、複数の通信方式で通信する通信端末用の通信プログラムであって、通信端末を、複数の通信方式のそれぞれに対応づけて、予め定められたセキュリティレベルを格納するセキュリティレベル格納部、当該通信端末の他の通信端末を識別する通信端末識別情報に対応づけて、通信端末識別情報で識別される通信端末に許可されている通信方式を格納する通信方式格納部、通信相手の通信端末から、通信相手の通信端末を識別する通信端末識別情報を取得する通信端末識別子取得部、通信端末識別子取得部が取得した通信端末識別情報に対応づけて通信方式格納部が格納している通信方式を参照し、参照された通信方式に対応づけてセキュリティレベル格納部が格納しているセキュリティレベル以下のセキュリティレベルの通信方式による、通信相手の通信端末との通信を許可する通信許可部、通信端末識別子取得部が取得した通信端末識別情報に対応づけて通信方式格納部が格納している通信方式を参照し、参照された通信方式に対応づけてセキュリティレベル格納部が格納しているセキュリティレベルより高いセキュリティレベルの通信方式による、通信相手の通信端末との通信を禁止する通信禁止部として機能させる。
【０００９】
また、本発明の第４の形態においては、複数の通信方式で通信する通信端末と、複数の通信端末間の通信を制御する通信制御サーバとを備える通信システムであって、通信制御サーバは、複数の通信方式のそれぞれに対応づけて、予め定められたセキュリティレベルを格納するセキュリティレベル格納部と、通信端末の他の通信端末を識別する通信端末識別情報に対応づけて、通信端末識別情報で識別される通信端末に許可されている通信方式を格納する通信方式格納部と、通信端末の通信相手の通信端末から、通信相手の通信端末を識別する通信端末識別情報を取得する通信端末識別子取得部と、通信端末識別子取得部が取得した通信端末識別情報に対応づけて通信方式格納部が格納している通信方式を参照し、参照された通信方式に対応づけてセキュリティレベル格納部が格納しているセキュリティレベル以下のセキュリティレベルの通信方式による、通信相手の通信端末から通信端末への通信を許可する通信許可部と、通信端末識別子取得部が取得した通信端末識別情報に対応づけて通信方式格納部が格納している通信方式を参照し、参照された通信方式に対応づけてセキュリティレベル格納部が格納しているセキュリティレベルより高いセキュリティレベルの通信方式による、通信相手の通信端末から通信端末への通信を禁止する通信禁止部とを有する。
【００１０】
なお、上記の発明の概要は、本発明の必要な特徴の全てを列挙したものではなく、これらの特徴群のサブコンビネーションもまた、発明となりうる。
【発明の効果】
【００１１】
本発明によれば、通信端末が、通信相手の通信端末から通信接続の要求を受けた場合に、通信相手の通信端末が接続を要求している通信方式で通信するか否かの許可／不許可を自動的に判断して、通信相手の通信端末との通信を自動的に許可／不許可することができる。
【発明を実施するための最良の形態】
【００１２】
以下、発明の実施の形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１３】
図１は、本発明の一実施形態に係る通信システム３０の概要を示す。通信システム３０は、複数の通信端末１０および通信制御サーバ２０を備える。通信端末１０（Ａ）は、通信相手の通信端末１０（Ｂ）と、ネットワーク４０および通信制御サーバ２０を介して通信する。通信端末１０（Ｂ）が複数の通信方式のうち、所定の通信方式で通信端末１０（Ａ）との通信を要求した場合に、通信端末１０（Ａ）は、通信端末１０（Ｂ）と当該所定の通信方式で通信することが許可されているか否かを判断する。そして、通信端末１０（Ｂ）が当該所定の通信方式で通信端末１０（Ａ）と通信することが許可されている場合に、通信端末１０（Ｂ）は当該所定の通信方式および当該所定の通信方式のセキュリティレベル以下の通信方式で通信端末１０（Ａ）と通信できる。
【００１４】
本実施形態に係る通信システム３０は、通信端末１０が、通信相手の通信端末１０から通信接続の要求を受けた場合に、通信相手の通信端末１０が接続を要求している通信方式で通信するか否かの許可／不許可を自動的に判断して、通信相手の通信端末１０との通信を自動的に許可／不許可することを目的とする。
【００１５】
通信端末１０は、半二重のＰｕｓｈ−Ｔｏ−Ｔａｌｋ（ＰＴＴ）通信方式、全二重のＴＶ電話通信方式、および全二重の音声通信方式を含む複数の通信方式で通信可能な通信端末１０であり、例えば、携帯電話端末である。なお、通信端末１０は、通信機能を有したノートパソコン、ＰＤＡ、およびゲーム機等の情報端末、並びに通信機能を有したデスクトップ型ＰＣであってもよい。さらに、通信端末１０が採用する通信方式は、上記の通信方式に限られず、例えば、電子メールによる通信方式を含んでいてもよい。また、新たな通信方式が開発された場合には、当該通信方式を含んでよい。さらに、ネットワーク４０は、例えば、公衆交換電話網およびＩＰ電話網である。なお、通信制御サーバ２０は、例えば、ＳＩＰサーバ２２またはＰｏＣサーバ２４、若しくはこれらを含む通信制御システムである。
【００１６】
通信端末１０（Ｂ）が通信端末１０（Ａ）に対して、全二重のＴＶ電話通信方式での通信接続を要求した場合を一例として考える。通信端末１０（Ｂ）は、通信端末１０（Ａ）への通信接続の要求を示す情報を、ネットワーク４０および通信制御サーバ２０を介して通信端末１０（Ａ）に対して送信する。通信制御サーバ２０は、通信端末１０（Ｂ）が送信した通信端末１０（Ａ）への通信接続の要求を示す情報を、通信端末１０（Ａ）が通信端末１０（Ｂ）からのＴＶ電話通信方式での通信接続を許可しているか否かにかかわらず、通信端末１０（Ａ）に転送する。通信端末１０（Ａ）は、通信端末１０（Ｂ）が送信したＴＶ電話通信方式での通信接続の要求を示す情報を、通信制御サーバ２０を介して受信する。通信端末１０（Ａ）は、通信端末１０（Ｂ）が通信端末１０（Ａ）に要求したＴＶ電話通信方式での通信接続を許可しているか否かを判断する。
【００１７】
具体的には、通信端末１０（Ａ）は、通信端末１０（Ｂ）を識別する通信端末識別情報に対応づけて、通信端末１０（Ｂ）に許可している通信方式を格納しており、通信端末１０（Ａ）は格納している当該通信方式を参照する。さらに、通信端末１０（Ａ）は、複数の通信方式のそれぞれに対応づけて、予め定められたセキュリティレベルを格納している。ここで、セキュリティレベルとは、複数の通信方式のそれぞれに対応づけられた、予め定められた階層順のレベルである。セキュリティレベルが高い通信方式が対応づけられている通信端末識別情報で識別される通信端末１０は、当該通信方式に対応するセキュリティレベル以下のセキュリティレベルの通信方式で通信相手の通信端末１０と通信できる。
【００１８】
例えば、半二重のＰＴＴ通信方式、全二重のＴＶ電話通信方式、そして、全二重の音声通信方式の順でセキュリティレベルが低くなるべくセキュリティレベルが予め定められている。そして、通信端末１０（Ａ）が、通信端末１０（Ｂ）を識別する通信端末識別情報に対応づけて全二重のＴＶ電話通信方式を格納している場合には、通信端末１０（Ａ）は通信端末１０（Ｂ）に対して全二重のＴＶ電話通信方式、および全二重の音声通信方式の双方の通信方式での通信を、通信端末１０（Ｂ）に対して許可する。通信端末１０（Ａ）が通信端末１０（Ｂ）に対して全二重のＴＶ電話通信方式による通信を許可した旨が、ネットワーク４０および通信制御サーバ２０を介して通信端末１０（Ｂ）に送信され、通信端末１０（Ｂ）は通信端末１０（Ａ）と全二重のＴＶ電話通信方式での通信を開始することができる。
【００１９】
一方、通信端末１０（Ａ）において、通信端末１０（Ｂ）を識別する通信端末識別情報には全二重のＴＶ電話通信方式しか対応づけられていない。したがって、全二重のＴＶ電話通信方式のセキュリティレベルよりも高いセキュリティレベルに対応づけられている半二重通信のＰＴＴ通信方式による通信を、通信端末１０（Ｂ）が通信端末１０（Ａ）に要求した場合には、通信端末１０（Ａ）は当該要求を自動的に拒否する。通信端末１０（Ａ）は当該要求を拒否した旨を示す情報を、通信制御サーバ２０を介して通信端末１０（Ｂ）に送信する。通信端末１０（Ｂ）は、通信接続が拒否された旨を示す情報を、通信端末１０（Ｂ）を利用するユーザに知覚可能に出力する。
【００２０】
本実施形態に係る通信端末１０によれば、複数の通信方式のそれぞれに予めセキュリティレベルを設定することができるので、通信相手の通信端末１０に許可すべき通信方式を設定するだけで、設定した通信方式に対応するセキュリティレベル以下のセキュリティレベルの通信方式による通信接続を、一括して通信相手の通信端末１０に許可できる。
【００２１】
図２は、本実施形態に係る通信端末１０の機能構成の一例を示す。通信端末１０は、端末側受信部１００、端末側受信制御部１０２、端末側送信部１０４、端末側送信制御部１０６、通信端末識別子取得部１１０、通信制御部１２０、セキュリティレベル格納部１３０、通信方式格納部１４０、不許可通信方式格納部１５０、通信量計測部１６０、通信量格納部１６５、通信方式選択部１７０、および通信方式更新部１８０を備える。また、通信制御部１２０は、通信許可部１２２および通信禁止部１２４を有する。
【００２２】
端末側受信部１００は、通信相手の通信端末１０から、所定の通信方式での通信接続を要求する旨を示す通信接続要求、および通信相手の通信端末１０を識別する通信端末識別情報を受信する。また、端末側受信部１００は、通信相手の通信端末１０が送信した音声データ、画像データ、およびテキストデータを含む通信データを受信する。端末側受信部１００は、受信した通信接続要求および通信データを端末側受信制御部１０２に供給する。端末側受信制御部１０２は、通信制御部１２０に制御されて、端末側受信部１００から受け取った通信接続要求および通信端末識別情報を通信端末識別子取得部１１０に供給する。また、端末側受信制御部１０２は、端末側受信部１００から受け取った通信データに関する情報を通信量計測部１６０に供給する。
【００２３】
端末側送信部１０４は、通信端末１０から通信相手の通信端末１０に、通信接続要求および通信端末１０を識別する通信端末識別子を送信する。また、端末側送信部１０４は、通信データを通信相手の通信端末１０に送信する。具体的には、通信端末１０は音声を入力する音声入力部、および音声入力部に入力された音声を音声データに変換する音声データ変換部をさらに備えていてよい。そして、音声データ変換部は、音声データを端末側送信部１０４に供給する。そして、端末側送信部１０４は、音声データ変換部から受け取った音声データを通信相手の通信端末１０に送信する。なお、音声データ変換部は、音声入力部に入力された音声をテキストデータに変換してもよい。例えば、通信端末１０を利用するユーザが音声入力部に入力した音声をテキストデータに変換する。
【００２４】
また、音声データ変換部は、音声入力部が音声の入力を検知した時点から予め定められた期間内に入力された音声を、テキストデータに変換してもよい。例えば、音声データ変換部は、通信端末１０の利用者が通信を始めるタイミングで自己の名称等を示す音声を発した場合、当該名称等をテキストデータに変換する。そして、端末側送信部１０４は、音声入力部に入力された音声から音声データ変換部が変換した音声データとともに、当該テキストデータを通信相手の通信端末１０に送信する。通信相手の通信端末１０が通信端末１０から受信した音声データを記録媒体等に記録する場合に、通信相手の通信端末１０は、当該テキストデータをインデックスとして使用できる。端末側送信制御部１０６は、通信制御部１２０に制御されて、端末側送信部１０４に通信接続要求および通信端末１０を識別する通信端末識別子を送信させる。
【００２５】
通信端末識別子取得部１１０は、端末側受信制御部１０２から通信端末識別情報を取得する。通信端末識別子取得部１１０が取得する通信端末識別情報は、複数の通信端末１０をそれぞれ識別する通信端末識別子であり、電話番号は通信端末識別子の一例である。通信端末識別子取得部１１０は、取得した通信端末識別情報を通信制御部１２０に供給する。セキュリティレベル格納部１３０は、複数の通信方式のそれぞれに対応づけて、予め定められたセキュリティレベルを格納する。具体的には、複数の通信方式は、半二重のＰＴＴ通信方式、全二重のＴＶ電話通信方式、および全二重の音声通信方式を含み、セキュリティレベル格納部１３０は、半二重のＰＴＴ通信方式、全二重のＴＶ電話通信方式、および全二重の音声通信方式のそれぞれのセキュリティレベルを格納する。セキュリティレベル格納部１３０は、通信制御部１２０が有する通信許可部１２２、通信禁止部１２４、および通信方式選択部１７０の制御に応じて、格納しているセキュリティレベルを通信許可部１２２、通信禁止部１２４、および通信方式選択部１７０に参照させる。
【００２６】
通信方式格納部１４０は、通信端末１０の他の通信端末１０を識別する通信端末識別情報に対応づけて、通信端末識別情報で識別される通信端末１０に許可されている通信方式を格納する。通信方式格納部１４０は、通信端末１０のユーザの指示に応じて、他の通信端末１０に許可する通信方式を格納する。具体的には、通信方式格納部１４０は、通信端末１０に通信の接続を要求した他の通信端末１０を識別する通信端末識別情報に対応づけて、ユーザが当該他の通信端末１０との通信において所望する通信方式を格納する。例えば、通信端末１０は、他の通信端末１０に許可する通信方式を、ユーザの指示に応じて取得する通信方式取得部をさらに備えてよい。そして、通信方式取得部が取得した通信方式を、通信端末１０の他の通信端末１０を識別する通信端末識別情報に対応づけて通信方式格納部１４０は格納してよい。
【００２７】
また、通信端末１０は、複数の通信端末識別情報を格納する通信端末識別情報格納部をさらに備えてよく、通信方式格納部１４０は、通信端末識別情報格納部が格納している通信端末識別情報に対応づけて、通信方式取得部がユーザの指示に応じて取得した通信方式を格納してよい。なお、通信端末識別情報格納部は、例えば、通信端末１０を利用するユーザを識別する情報（例えば、氏名およびメールアドレス等）に対応づけて、通信端末１０の電話番号を格納する電話帳である。
【００２８】
さらに、通信方式格納部１４０は、複数の通信端末識別情報を含む複数のグループのそれぞれに許可されている通信方式を格納してもよい。例えば、通信方式格納部１４０は、複数の通信端末識別情報を家族、友人、会社、および飲み友達等の任意のグループに分類して、複数のグループのそれぞれに許可されている通信方式を格納する。通信方式格納部１４０は、通信制御部１２０が有する通信許可部１２２、通信禁止部１２４、および通信方式選択部１７０の制御に応じて、格納している通信方式を通信許可部１２２、通信禁止部１２４、および通信方式選択部１７０に参照させる。
【００２９】
不許可通信方式格納部１５０は、通信端末識別子に対応づけて、通信端末識別子で識別される通信端末１０に許可されていない通信方式を格納する。不許可通信方式格納部１５０は、通信端末１０のユーザの指示に応じて、他の通信端末１０から要求される通信方式のうち、通信を禁止する通信方式を格納する。不許可通信方式格納部１５０は、通信制御部１２０が有する通信禁止部１２４の制御に応じて、格納している通信方式を通信禁止部１２４に参照させる。
【００３０】
通信制御部１２０は、端末側受信制御部１０２および端末側送信制御部１０６を制御して、通信端末１０から他の通信端末１０への通信接続要求情報、および通信データを含む通信データの送信、並びに他の通信端末１０から通信端末１０への通信接続要求情報、および通信データの受信を制御する。そして、通信制御部１２０は、他の通信端末１０が要求する通信方式での通信を、端末側受信制御部１０２および端末側送信制御部１０６を制御することにより実現する。具体的には、通信制御部１２０が有する通信許可部１２２および通信禁止部１２４が、他の通信端末１０が要求する通信方式での通信を制御する。
【００３１】
通信許可部１２２は、通信端末識別子取得部１１０が取得した通信端末識別情報に対応づけて通信方式格納部１４０が格納している通信方式を参照する。また、通信許可部１２２は、通信端末識別子取得部１１０が取得した通信端末識別情報を含むグループに対応づけて通信方式格納部１４０が格納している通信方式を参照してもよい。そして、通信許可部１２２は、参照した通信方式に対応づけてセキュリティレベル格納部１３０が格納しているセキュリティレベル以下のセキュリティレベルの通信方式による、通信相手の通信端末１０との通信を許可する。通信許可部１２２は、端末側受信制御部１０２を制御して、通信相手の通信端末１０が送信する通信データの受信をさせ、端末側送信制御部１０６を制御して、通信相手の通信端末１０への通信データの送信をさせることにより、通信相手の通信端末１０との通信を許可する。
【００３２】
具体的には、通信許可部１２２は、通信端末識別子取得部１１０が取得した通信端末識別情報に対応づけて通信方式格納部１４０が半二重のＰＴＴ通信方式を格納している場合に、全二重のＴＶ電話通信方式および全二重の音声通信方式による、通信相手の通信端末１０との通信を許可する。また、通信許可部１２２は、通信端末識別子取得部１１０が取得した通信端末識別情報に対応づけて通信方式格納部１４０が半二重のＰＴＴ通信方式を格納している場合に、全二重のＴＶ電話通信方式による、通信相手の通信端末１０との通信を許可する。また、通信許可部１２２は、通信端末識別子取得部１１０が取得した通信端末識別情報に対応づけて通信方式格納部１４０が半二重のＰＴＴ通信方式を格納している場合に、全二重の音声通信方式による、通信相手の通信端末１０との通信を許可する。
【００３３】
なお、端末側受信部１００が、通信端末識別情報格納部に格納されている通信端末識別情報で識別される通信相手の通信端末１０から所定の通信方式による通信接続要求を受信した場合には、通信許可部１２２は、当該通信端末１０に対して通信接続を許可してもよい。一方、端末側受信部１００が、通信端末識別情報格納部に格納されていない通信端末識別情報で識別される通信相手の通信端末１０から所定の通信方式による通信接続要求を受信した場合には、通信許可部１２２は、当該通信端末１０に対して通信接続を許可しない。
【００３４】
通信禁止部１２４は、通信端末識別子取得部１１０が取得した通信端末識別情報に対応づけて通信方式格納部１４０が格納している通信方式を参照する。また、通信禁止部１２４は、通信端末識別子取得部１１０が取得した通信端末識別情報を含むグループに対応づけて通信方式格納部１４０が格納している通信方式を参照してもよい。そして、通信禁止部１２４は、参照した通信方式に対応づけてセキュリティレベル格納部１３０が格納しているセキュリティレベルより高いセキュリティレベルの通信方式による、通信相手の通信端末１０との通信を禁止する。通信禁止部１２４は、端末側受信制御部１０２を制御して、通信相手の通信端末１０が送信する通信データの受信を禁止させることにより、通信相手の通信端末１０との通信を禁止する。
【００３５】
ここで、通信端末識別子取得部１１０が取得した通信端末識別情報に対応づけて通信方式格納部１４０が全二重のＴＶ電話通信方式を格納している場合に、通信許可部１２２は、全二重の音声通信方式による、通信相手の通信端末１０との通信を許可するとともに、通信禁止部１２４は、半二重のＰＴＴ通信方式による、通信相手の通信端末１０との通信を禁止する。また、通信禁止部１２４は、通信端末識別子取得部１１０が取得した通信端末識別情報に対応づけて通信方式格納部１４０が全二重の音声通信方式だけを格納している場合には、半二重のＰＴＴ通信方式、および全二重のＴＶ電話通信方式による、通信相手の通信端末１０との通信を禁止する。なお、本実施例においては、半二重のＰＴＴ通信方式、全二重のＴＶ電話通信方式、全二重の音声通信方式の順でセキュリティレベルが設定されている場合を一例として述べているが、これら複数の通信方式に設定するセキュリティレベルは上記例に限られず、その他の順でセキュリティレベルを設定してもよい。
【００３６】
また、通信禁止部１２４は、通信端末識別子取得部１１０が取得した通信端末識別情報に対応づけて不許可通信方式格納部１５０が格納している通信方式を参照する。そして、通信禁止部１２４は、参照された通信方式に対応づけてセキュリティレベル格納部１３０が格納しているセキュリティレベルにかかわらず、参照された通信方式による、通信相手の通信端末１０との通信を禁止する。これにより、いたずら等によって通信端末１０に通信接続要求をした通信相手の通信端末１０からの通信接続要求を、通信端末１０を利用するユーザを煩わせることなく防止できる。
【００３７】
通信量計測部１６０は、通信端末１０の他の通信端末１０から端末側受信部１００が受信した通信データに関する情報から、通信データの通信量を計測する。通信量計測部１６０は、端末側受信部１００から端末側受信制御部１０２に供給された通信データを解析することにより、通信量を計測する。ここで、通信データに関する情報とは、通信パケット数、通信データ量、通話時間、通話回数、通話時間帯、通話日時、および着信回数を含む情報である。
【００３８】
例えば、他の通信端末１０と通信端末１０とが全二重の音声通信方式または全二重のＴＶ電話通信方式で通信している場合に、通信量計測部１６０は、通話時間を通信量として計測する。また、通信量計測部１６０は、他の複数の通信端末１０を識別する複数の通信端末識別情報のそれぞれに対応づけて、他の複数の通信端末１０と通信端末１０とが全二重の音声通信方式または全二重のＴＶ電話通信方式で通話したそれぞれの通話時間を計測する。
【００３９】
また、通信量計測部１６０は、他の通信端末１０と通信端末１０との複数回の通話の通話時間をそれぞれ計測して、計測したそれぞれの通話時間の合計時間を通信量として計測してもよい。係る場合において、通信量計測部１６０は、予め定められた期間内（例えば、２日間内、３日間内、および１週間内等）に他の複数の通信端末１０と通信端末１０とが通話した通話時間の合計量を、通信量として計測してもよい。
【００４０】
また、通信量計測部１６０は、他の通信端末１０と通信端末１０とが全二重の音声通信方式または全二重のＴＶ電話通信方式で通信している場合に、予め定められた複数の通話時間帯のそれぞれに重み付けして、通話時間に重みを乗じることによって通信量を算出してもよい。例えば、朝（５時から１２時）、昼（１２時から１５時）、夕方（１５時から１８時）、夜（１８時から２３時）、および深夜（２３時から５時）等のそれぞれの時間帯に対応づけて、予め定められた重みを格納する重み付け格納部を通信端末１０はさらに備えてよい。そして、通信量計測部１６０は、端末側受信部１００および端末側送信部１０４が、他の通信端末１０との全二重の音声通信方式または全二重のＴＶ電話通信方式での通信を開始した時刻を取得して、取得した時刻を含む時間帯に対応づけて重み付け格納部が格納している重みを抽出する。続いて、通信量計測部１６０は抽出した重みを通話時間に乗じて通信量を算出する。
【００４１】
また、通信量計測部１６０は、他の通信端末１０と通信端末１０とが半二重のＰＴＴ通信方式で通信している場合に、他の通信端末１０が端末側受信部１００に送信した通信パケット数、および端末側送信部１０４が他の通信端末１０に送信した通信パケット数を通信量として計測してもよい。通信量計測部１６０は、他の通信端末１０を識別する通信端末識別情報に対応づけて、端末側受信部１００が受信した通信パケット数および端末側送信部１０４が送信した通信パケット数の合計を通信量として計測する。係る場合において、通信量計測部１６０は、予め定められた期間内（例えば、２日間内、３日間内、および１週間内等）に他の複数の通信端末１０と通信端末１０とが送受信した通信パケット数の合計量を、通信量として計測してもよい。通信量計測部１６０は、計測した通信量を通信端末識別情報に対応づけて通信量格納部１６５に供給する。
【００４２】
通信量格納部１６５は、通信端末１０の他の通信端末１０を識別する通信端末識別情報に対応づけて、通信端末識別情報で識別される通信端末との通信量を格納する。通信量格納部１６５は、通信方式選択部１７０に制御され、通信方式選択部１７０に通信方式を示す情報を供給する。通信方式選択部１７０は、通信量格納部１６５が格納している通信量が予め定められた閾値より大きい場合に、通信方式格納部１４０が通信端末識別情報に対応づけて格納している通信方式を参照する。そして、通信方式選択部１７０は、参照した通信方式に対応づけてセキュリティレベル格納部１３０が格納しているセキュリティレベルより高いセキュリティレベルの通信方式を選択する。
【００４３】
例えば、通信方式選択部１７０が参照した通信方式が全二重のＴＶ電話通信方式である場合には、通信方式選択部１７０は、全二重のＴＶ電話通信方式よりも高いセキュリティレベルである半二重のＰＴＴ通信方式を選択する。通信方式選択部１７０は、選択した通信方式を通信方式更新部１８０に供給する。通信方式更新部１８０は、通信方式選択部１７０が選択した通信方式を、通信端末識別情報に対応づけて通信方式格納部１４０が格納している通信方式に置き換えて通信方式格納部１４０に格納する。
【００４４】
これにより、通信端末１０は、通信端末１０を利用する第１ユーザと、他の通信端末１０を利用する第２ユーザとの親密さに応じて、第２ユーザが利用する他の通信端末１０に対して適切なセキュリティレベルの通信方式を通信方式格納部１４０に格納できる。したがって、例えば、家族、友人等親密さの高いユーザが利用する通信端末１０からは半二重のＰＴＴ通信方式を受け付ける一方で、親密さの低いユーザが利用する通信端末１０からは全二重の音声通信方式だけを受け付けるという様な設定をユーザ自身が自らすることなく、通信端末１０が係る設定を自動的にすることができる。
【００４５】
本実施形態に係る通信端末１０によれば、複数の通信方式のそれぞれについてセキュリティレベルを設定できるので、他の通信端末１０に複数の通信方式のうち１つの通信方式を許可するだけで、当該通信方式に対応するセキュリティレベルより高い通信方式での通信を禁止できる。これにより、通信端末１０を利用するユーザが、他の通信端末１０に対して複数の通信方式のそれぞれについて通信を受け付けるか否かを設定することなく、所望の通信方式で他の通信端末１０と通信できる。
【００４６】
また、本実施形態に係る通信端末１０によれば、複数の通信相手の通信端末１０のそれぞれに許可している通信方式を対応づけて格納することができる。したがって、ＰｏＣサーバ２４において通信端末１０が要求を許諾している通信方式について管理する必要がなくなるので、ＰｏＣサーバ２４において通信端末１０が要求を許諾している通信方式について管理する場合に、ＰｏＣサーバ２４において通信端末１０が要求を許諾している通信方式について格納することがなくなる。これにより、ＰｏＣサーバ２４において通信端末１０が要求を許諾している通信方式について管理する場合よりも迅速に、通信相手の通信端末１０からの通信要求に対する許可／不許可の対応ができる。
【００４７】
図３は、本実施形態に係るセキュリティレベル格納部１３０のデータ構造の一例を示す。セキュリティレベル格納部１３０は、複数の通信方式のそれぞれに対応づけて、予め定められたセキュリティレベルを格納する。複数の通信方式は、半二重のＰＴＴ通信方式、全二重のＴＶ電話通信方式、および全二重の音声通信方式を含む。そして、セキュリティレベル格納部１３０は、半二重のＰＴＴ通信方式、全二重のＴＶ電話通信方式、および全二重の音声通信方式の順にセキュリティレベルが低くなるべく、それぞれの通信方式に対応づけてセキュリティレベルを格納する。なお、セキュリティレベル格納部１３０は、半二重のＰＴＴ通信方式、全二重のＴＶ電話通信方式、および全二重の音声通信方式に上記説明とは異なるセキュリティレベルを対応づけて格納してもよい。
【００４８】
例えば、セキュリティレベル格納部１３０は、半二重のＰＴＴ通信方式にセキュリティレベル"５"を対応づけて格納する。また、セキュリティレベル格納部１３０は、全二重のＴＶ電話通信方式にセキュリティレベル"３"を対応づけて格納する。さらに、セキュリティレベル格納部１３０は、全二重の音声通信方式にセキュリティレベル"１"を対応づけて格納する。セキュリティレベル格納部１３０は、他の複数の通信方式のそれぞれに対応づけて、さらに予め定められたセキュリティレベルを格納してもよく、新たな通信方式が開発された場合には、新たな通信方式に対応づけて、さらに予め定められたセキュリティレベルを格納してもよい。
【００４９】
図４は、本実施形態に係る通信方式格納部１４０のデータ構造の一例を示す。通信方式格納部１４０は、通信端末識別子に対応づけて、当該通信端末識別子で識別される通信端末１０に許可されている通信方式を格納する。通信方式格納部１４０が格納する通信端末識別子は、通信端末識別情報の一例であり、具体的には、複数の通信端末を一意に識別できる識別子、または電話番号である。
【００５０】
例えば、図４において通信方式格納部１４０は、通信端末識別子２０００に対応づけて、全二重のＴＶ電話通信方式を格納している。また、通信方式格納部１４０は、通信端末識別子２１００に対応づけて、半二重のＰＴＴ通信方式を格納している。さらに、通信方式格納部１４０は、通信端末識別子２２００に対応づけて、全二重の音声通信を格納している。これにより、通信端末識別子２０００で識別される通信端末１０は、全二重のＴＶ電話通信方式で通信端末１０と通信できるとともに、全二重のＴＶ電話通信方式に対応づけてセキュリティレベル格納部１３０が格納しているセキュリティレベル以下の通信方式、例えば、全二重の音声通信方式で通信端末１０と通信できる（図３参照）。
【００５１】
同様にして、通信端末識別子２１００で識別される通信端末１０は、半二重のＰＴＴ通信方式で通信端末１０と通信できるとともに、半二重のＰＴＴ通信方式に対応づけてセキュリティレベル格納部１３０が格納しているセキュリティレベル以下の通信方式、例えば、全二重のＴＶ電話通信方式および全二重の音声通信方式で通信端末１０と通信できる（図３参照）。また、通信端末識別子２２００で識別される通信端末１０は、全二重の音声通信方式で通信端末１０と通信できるが、全二重の音声通信方式に対応づけてセキュリティレベル格納部１３０が格納しているセキュリティレベルより高いセキュリティレベルの半二重のＰＴＴ通信方式および全二重のＴＶ電話通信方式で通信端末１０と通信することはできない。
【００５２】
図５は、本実施形態に係る通信端末１０における処理の流れの一例を示す。例えば、通信端末１０（Ａ）から通信端末１０（Ｂ）へ半二重のＰＴＴ通信方式での通信を要求する場合を示す。まず、通信端末１０（Ａ）は、通信端末１０（Ｂ）に対して、ＰＴＴ通信をすべく、ＩＮＶＩＴＥメッセージを端末側送信部１０４から送信する（Ｓ１０００）。通信端末１０（Ｂ）は、端末側受信部１００でＩＮＶＩＴＥメッセージを受信する。通信端末１０（Ｂ）はＩＮＶＩＴＥメッセージを受信することにより、ＰＴＴ通信による通信要求が来ていると判断する。
【００５３】
ＩＮＶＩＴＥメッセージを受信した通信端末１０（Ｂ）は１８０Ｒｉｎｇｉｎｇを通信端末１０（Ａ）に送信する（Ｓ１０１０）。この場合において、通信端末１０（Ｂ）を利用するユーザが応答したとき、通信端末１０（Ｂ）は通信端末１０（Ａ）に対して２００ＯＫを送出する（Ｓ１０２０）。通信端末１０（Ａ）は、通信端末１０（Ｂ）から２００ＯＫを受信した後、ＡＣＫを通信端末１０（Ｂ）に送信する（Ｓ１０３０）。
【００５４】
ここで、全二重の音声通信方式の場合と同様に、半二重のＰＴＴ通信方式の通信においても、不必要なＰＴＴ通信の接続要求（例えば、いたずらによる接続要求）が発生する場合がある。よって、通信端末１０（Ｂ）が備える通信禁止部１２４は、通信方式格納部１４０が通信端末１０（Ａ）を識別する通信端末識別情報に対応づけて格納している、通信端末１０（Ａ）に許可されている通信方式を参照して、参照された通信方式に対応づけてセキュリティレベル格納部１３０が格納しているセキュリティレベルより高いセキュリティレベルの通信方式による、通信端末１０（Ａ）との通信を禁止する。これにより、通信端末１０（Ｂ）は、不必要なＰＴＴ通信の接続要求を排除できる。
【００５５】
図６は、本実施形態に係る通信システム３０における処理の流れの一例を示す。まず、通信端末１０（Ａ）は、通信相手の通信端末１０を選択する（Ｓ１１００）。例えば、通信端末１０（Ａ）は通信相手の通信端末１０として、通信端末１０（Ｂ）を選択する。なお、通信端末１０（Ａ）は、通信相手の通信端末１０として、複数の通信端末１０を選択してもよい。続いて、通信端末１０（Ａ）は、宛先情報が含まれるＰｏＣ（Ｐｕｓｈ−ｔｏ−  ｔａｌｋ  ｏｖｅｒ  Ｃｅｌｌｕｌａｒ）発信要求であるＳＩＰ  ＩＮＶＩＴＥメッセージを送信する（Ｓ１１０５）。ＳＩＰサーバ２２は、通信端末１０（Ａ）からＳＩＰ  ＩＮＶＩＴＥメッセージを受信して、ＰｏＣサーバ２４にルーティングする（Ｓ１１１０）。
【００５６】
ＰｏＣサーバ２４は、ＳＩＰサーバ２２から受け取ったＳＩＰ  ＩＮＶＩＴＥメッセージのＰｏＣ  Ｓｅｔｔｉｎｇ情報をチェックせずに、ＳＩＰサーバ２２に転送する（Ｓ１１１５）。ＳＩＰサーバ２２は、ＰｏＣサーバ２４から受け取ったＳＩＰ  ＩＮＶＩＴＥメッセージを通信端末１０（Ｂ）に転送する（Ｓ１１２０）。通信端末１０（Ｂ）は、ＳＩＰサーバ２２からＳＩＰ  ＩＮＶＩＴＥメッセージを受信する（Ｓ１１２５）。通信端末１０（Ｂ）は、通信端末１０（Ｂ）の現在の状況を示すプレゼンス情報のＰｏＣ  Ａｖａｉｌａｂｉｌｉｔｙをチェックする。例えば、通信端末１０（Ｂ）は、通信方式格納部１４０に、通信端末１０（Ａ）に対応づけてＰＴＴ通信方式が格納されているかどうかを判断する（Ｓ１１３０）。
【００５７】
通信方式格納部１４０に、通信端末１０（Ａ）に対応づけてＰＴＴ通信方式が格納されていない場合、即ちＰｏＣ受信ができない場合には（Ｓ１１３０：Ｎｏ）、通信端末１０（Ｂ）は、端末側送信部１０４からＰｏＣ受信ができない旨を示す情報（例えば、４８０  Ｔｅｍｐｏｒａｒｉｌｙ  Ｕｎａｖａｉｌａｂｌｅ）を送信する（Ｓ１１３２）。ＰｏＣサーバ２４は、ＰｏＣ受信ができない旨を示す情報を通信端末１０（Ａ）に転送して（Ｓ１１３４）、通信端末１０（Ａ）からのＰｏＣ発信要求を拒否する。
【００５８】
一方、通信方式格納部１４０に、通信端末１０（Ａ）に対応づけてＰＴＴ通信方式が格納されている場合、即ちＰｏＣ受信ができる場合には（Ｓ１１３０：Ｙｅｓ）、通信端末１０（Ｂ）はユーザに着信を通知するとともに（Ｓ１１４０）、着信中である旨を示す情報（例えば、１８０  Ｒｉｎｇｉｎｇ）を送信する（Ｓ１１４２）。ＰｏＣサーバ２４は、着信中である旨を示す情報を通信端末１０（Ａ）に転送する（Ｓ１１４４）。そして、通信端末１０（Ｂ）を利用するユーザが応答した場合に（Ｓ１１５０）、通信端末１０（Ｂ）は、端末側送信部１０４から２００ＯＫおよびＡＣＫを送信する（Ｓ１１５２）。ＰｏＣサーバ２４は、通信端末１０（Ａ）に２００ＯＫおよびＡＣＫを転送する（Ｓ１１５４）。
【００５９】
そして、通信端末１０（Ａ）は、例えば、音声データの送信を開始するトリガとなるＰＴＴボタンを押して発話を開始する（Ｓ１１６０）。続いて、通信端末１０（Ａ）から、通信端末１０（Ａ）の音声入力部に入力された音声から変換された音声データであるＴａｌｋ  Ｂｕｒｓｔが、ＰｏＣサーバ２４を介して（Ｓ１１６２）、通信端末１０（Ｂ）に送信される（Ｓ１１６４）。そして、通信端末１０（Ｂ）は、通信端末１０（Ａ）から受信したＴａｌｋ  Ｂｕｒｓｔが示す音声を出力する（Ｓ１１６６）。
【００６０】
なお、通信相手の通信端末１０（Ａ）からの通信接続の要求のうち、通信端末１０（Ａ）に対して許可している通信方式を、通信端末１０（Ｂ）が管理しているので、ＳＩＰサーバ２２およびＰｏＣサーバ２４は、通信端末１０（Ｂ）が受信を許可している通信方式を管理しない。そして、通信端末１０（Ｂ）は、ＳＩＰ  ＩＮＶＩＴＥメッセージの受信時に（Ｓ１１２５）、自己のＰＴＴ  Ｓｅｒｖｉｃｅ  Ａｖａｉｌａｂｉｌｉｔｙをチェックする。そして、通信端末１０（Ｂ）はチェック結果に応じて、例えば、以下の動作を実行する。なお、係る場合において、通信端末１０（Ｂ）は、受信したＳＩＰ  ＩＮＶＩＴＥメッセージ内に含まれるＡｎｓｗｅｒ  Ｍｏｄｅ  Ｈｅａｄｅｒの記述については無視するとともに、通信端末１０（Ａ）のＰＴＴ  Ｓｅｒｖｉｃｅ  Ａｖａｉｌａｂｉｌｉｔｙはチェックしない。
【００６１】
例えば、通信端末１０（Ｂ）は、自己のＰＴＴ  Ｓｅｒｖｉｃｅ  ＡｖａｉｌａｂｉｌｉｔｙがＡｕｔｏ  Ａｎｓｗｅｒ  Ｍｏｄｅである場合には、着信中である旨を示す情報（例えば、１８０  Ｒｉｎｇｉｎｇ）を自動で送信（Ｓ１１４２）するとともに、２００ＯＫを自動で送信する（Ｓ１１５２）。そして、通信端末１０（Ｂ）を利用するユーザに対して、Ａｕｔｏ着信を示すトーンを鳴動させる。具体的には、通信端末１０（Ｂ）は、音声を出力する音声出力部および音声出力部に音声を出力させる音声出力制御部をさらに備える。そして、音声出力制御部は、端末側送信部１０４が２００ＯＫを送信するとともに、音声出力部からＡｕｔｏ着信を示す音を出力する。
【００６２】
また、通信端末１０（Ｂ）は、自己のＰＴＴ  Ｓｅｒｖｉｃｅ  ＡｖａｉｌａｂｉｌｉｔｙがＭａｎｕａｌ  Ａｎｓｗｅｒ  Ｍｏｄｅである場合には、着信中である旨を示す情報（例えば、１８０  Ｒｉｎｇｉｎｇ）を自動で送信（Ｓ１１４２）するとともに、音声出力部からＲｉｎｇｉｎｇ  Ｔｏｎｅ、すなわち、着信中である旨を示す音を出力する。さらに、通信端末１０（Ｂ）は、自己のＰＴＴ  Ｓｅｒｖｉｃｅ  ＡｖａｉｌａｂｉｌｉｔｙがＤｏ  ｎｏｔ  Ｄｉｓｔｕｒｂである場合には、Ｅｒｒｏｒ  Ｒｅｓｐｏｎｓｅ（例えば、４８０  Ｔｅｍｐｏｒａｒｉｌｙ  Ｕｎａｖａｉｌａｂｌｅ）を自動的に送信する（Ｓ１１３２）。
【００６３】
図７、図８、および図９は、本発明の他の実施形態に係るＰＴＴ通信方式の通信システム３０の概要の一例を示す。通信システム３０は、通信端末１０、ＰｏＣサーバ２４、およびプレゼンスサーバ２６を備える。なお、ＳＩＰサーバ２２、ＰＴＴサーバ２３、およびＰｏＣサーバ２４は通信制御サーバ２０の一例である。
【００６４】
まず、図７に示す一実施形態においては、通信端末１０は、ＰｏＣ  Ｓｅｔｔｉｎｇ情報を含んだプレゼンス情報をプレゼンスサーバ２６に送信する（Ｓ１２００）。プレゼンスサーバ２６は、通信端末１０から受信したプレゼンス情報からＰｏＣ  Ｓｅｔｔｉｎｇ情報を抽出する。そして、プレゼンスサーバ２６は、抽出したＰｏＣ  Ｓｅｔｔｉｎｇ情報をＰｏＣサーバ２４に送信することによって（Ｓ１２１０）、ＰｏＣサーバ２４にＰｏＣ設定を実行させる。また、通信相手の通信端末１０のプレゼンス情報についても、プレゼンスサーバ２６は管理する。
【００６５】
また、図８に示す一実施形態においては、通信端末１０は、ＰｏＣ  Ｓｅｔｔｉｎｇ情報を除くプレゼンス情報をプレゼンスサーバ２６に送信する（Ｓ１２２０）。また、通信端末１０は、ＰｏＣ  Ｓｅｔｔｉｎｇ情報だけをＰｏＣサーバ２４に送信する（Ｓ１２２５）。そして、ＰｏＣサーバ２４は、通信端末１０から受信したＰｏＣ  Ｓｅｔｔｉｎｇ情報に基づいてＰｏＣ設定を実行する。そして、ＰｏＣサーバ２４は、ＰｏＣプレゼンス情報をプレゼンスサーバ２６に送信する（Ｓ１２３０）。
【００６６】
さらに、図９に示す位置実施形態においては、通信端末１０は、ＰｏＣ  Ｓｅｔｔｉｎｇ情報を含んだプレゼンス情報をＰｏＣサーバ２４に送信する（Ｓ１２４０）。ＰｏＣサーバ２４は、通信端末１０から受信したプレゼンス情報からＰｏＣ  Ｓｅｔｔｉｎｇ情報を抽出する。そして、ＰｏＣサーバ２４は、抽出したＰｏＣ  Ｓｅｔｔｉｎｇ情報を用いてＰｏＣ設定を実行するとともに、ＰｏＣ  Ｓｅｔｔｉｎｇ情報を抽出した後のプレゼンス情報をプレゼンスサーバ２６に送信する（Ｓ１２５０）。また、通信相手の通信端末１０のプレゼンス情報についても、プレゼンスサーバ２６は管理する。
【００６７】
係る場合において、ＰｏＣサーバ２４またはプレゼンスサーバ２６は、図１から図６において説明した通信端末１０の機能および構成の一部または全部を備えていてよい。すなわち、ＰｏＣサーバ２４またはプレゼンスサーバ２６は、図１から図６の上記説明における、セキュリティレベル格納部１３０、通信方式格納部１４０、通信端末識別子取得部１１０、通信許可部１２２、および通信禁止部１２４を少なくとも備えている。そして、ＰｏＣサーバ２４またはプレゼンスサーバ２６は、通信端末１０が通信相手の通信端末１０に所定の通信方式での通信接続を要求した場合に、通信端末１０において当該通信方式での通信接続が許可されているか否かを判断して、通信相手の通信端末１０と通信端末１０との間で通信接続を設定するか否かを決定してもよい。
【００６８】
図１０は、他の実施形態に係るＰＴＴ通信方式の通信システム３０における処理の流れの一例を示す。図６の上記説明におけるステップの符号と同一符号で表されているステップは、図６の上記説明と略同様の機能を奏するので詳細な説明は省略する。本実施形態においては、ＰｏＣサーバ２４は、通信端末１０（Ａ）からＳＩＰサーバ２２を介して受信したＳＩＰ  ＩＮＶＩＴＥメッセージと、予め通信端末１０（Ｂ）から取得したＰｏＣ  Ｓｅｔｔｉｎｇ情報とを参照して、通信端末１０（Ａ）から通信端末１０（Ｂ）に向けたＰｏＣ発信要求であるＳＩＰ  ＩＮＶＩＴＥメッセージに対する対応を決定する点が異なる（Ｓ１３００）。
【００６９】
係る場合において、図７から図９の上記記載で説明したとおり、ＰｏＣサーバ２４が、通信端末１０（Ａ）からの通信端末１０（Ｂ）への半二重のＰＴＴ通信方式での通信接続要求が、通信端末１０（Ｂ）で許可されているか否かを判断する。通信端末１０（Ａ）からの通信端末１０（Ｂ）への半二重のＰＴＴ通信方式での通信接続要求が、通信端末１０（Ｂ）で許可されている場合には、ＰｏＣサーバ２４は、通信端末１０（Ａ）に対して半二重のＰＴＴ通信方式のみならず、半二重のＰＴＴ通信方式よりもセキュリティレベルが低い、全二重のＴＶ電話通信方式および全二重の音声通信方式の双方の通信方式をも許可する。
【００７０】
図１１は、本実施形態に係る通信端末１０における処理の流れの一例を示す。まず、通信端末１０の端末側受信部１００は、通信相手の通信端末１０から所定の通信方式による通信接続要求とともに、通信相手の通信端末１０を識別する通信端末識別子を受信する（Ｓ１４００）。なお、通信端末識別子は、通信端末識別情報の一例である。そして、通信端末識別子取得部１１０は、端末側受信部１００が受信した通信端末識別子を取得する（Ｓ１４０５）。通信端末識別子取得部１１０は、取得した通信端末識別子を通信制御部１２０に供給する。通信制御部１２０が有する通信許可部１２２は、通信端末識別子取得部１１０が取得した通信端末識別子に対応づけて、通信方式格納部１４０が格納している通信方式を参照する（Ｓ１４１０）。
【００７１】
そして、通信許可部１２２は、通信相手の通信端末１０が要求した通信方式のセキュリティレベルが、参照した通信方式に対応づけてセキュリティレベル格納部１３０が格納しているセキュリティレベル以下であるか否かを判断する（Ｓ１４１５）。通信許可部１２２は、通信相手の通信端末１０が要求した通信方式のセキュリティレベルが、参照した通信方式に対応づけてセキュリティレベル格納部１３０が格納しているセキュリティレベル以下の場合に（Ｓ１４１５：Ｙｅｓ）、当該セキュリティレベル以下のセキュリティレベルの通信方式による、通信相手の通信端末１０との通信を許可する（Ｓ１４２０）。
【００７２】
一方、通信禁止部１２４も、通信端末識別子取得部１１０が取得した通信端末識別子に対応づけて、通信方式格納部１４０が格納している通信方式を参照する（Ｓ１４１０）。そして、通信禁止部１２４は、通信相手の通信端末１０が要求した通信方式のセキュリティレベルが、参照した通信方式に対応づけてセキュリティレベル格納部１３０が格納しているセキュリティレベル以下であるか否かを判断する（Ｓ１４１５）。通信禁止部１２４は、通信相手の通信端末１０が要求した通信方式のセキュリティレベルが、参照した通信方式に対応づけてセキュリティレベル格納部１３０が格納しているセキュリティレベル以下ではない場合に（Ｓ１４１５：Ｎｏ）、通信相手の通信端末１０が要求した通信方式による、通信相手の通信端末１０との通信を禁止する（Ｓ１４２５）。なお、通信制御サーバ２０において、図１１の上記説明における処理と同様の処理を実行してもよい。係る場合においては、通信端末１０において図１１の上記説明における処理を実行しない。
【００７３】
図１２、図１３、および図１４は、他の実施形態に係る半二重のＰＴＴ通信方式で通信する通信端末１０における処理の流れの一例を示す。まず、図１２において、通信端末１０（Ａ）は、通信端末１０（Ｂ）と半二重のＰＴＴ通信方式での通信の接続を要求する通信接続要求情報であるＩＮＶＩＴＥメッセージを、ＩＭＳネットワーク２８を介して通信端末１０（Ｂ）に送信する（Ｓ１５００、Ｓ１５０２）。なお、ＩＭＳネットワーク２８は、ＳＩＰサーバ２２およびＰｏＣサーバ２４を含む。ＩＭＳネットワーク２８は、通信端末１０（Ａ）からＩＮＶＩＴＥメッセージを受け取った後、通信端末１０（Ｂ）に対して通信接続を要求中であることを示す１００  Ｔｒｙｉｎｇを通信端末１０（Ａ）に送信する（Ｓ１５０４）。通信端末１０（Ｂ）は、通信端末１０（Ａ）から受け取ったＩＮＶＩＴＥメッセージに対して応答中であることを示す１８０  ＲｉｎｇｉｎｇをＩＭＳネットワーク２８を介して通信端末１０（Ａ）に送信する（Ｓ１５０６、Ｓ１５０８）。
【００７４】
ここで、通信端末１０（Ａ）がＰＴＴ通信方式での通信をキャンセルする場合は、通信端末１０（Ａ）は、通信をキャンセルする旨を示すＣＡＮＣＥＬメッセージをＩＭＳネットワーク２８を介して通信端末１０（Ｂ）に送信する（Ｓ１５１０、Ｓ１５１２）。ＩＭＳネットワーク２８は、ＣＡＮＣＥＬメッセージを受信した旨を示すべく、２００ＯＫを通信端末１０（Ａ）に送信する（Ｓ１５１４）。また、通信端末１０（Ｂ）は、ＣＡＮＣＥＬメッセージを正常に受信した場合に、２００ＯＫをＩＭＳネットワーク２８に送信する（Ｓ１５１６）。
【００７５】
そして、ＩＭＳネットワーク２８は、通信端末１０（Ａ）から通信端末１０（Ｂ）へのＰＴＴ通信方式による通信の接続要求が消滅した旨を示す情報（例えば、４８７  Ｒｅｑｕｅｓｔ  Ｔｅｒｍｉｎａｔｅｄ）を、通信端末１０（Ａ）に送信する（Ｓ１５１８）。同様に、通信端末１０（Ｂ）は、通信端末１０（Ａ）から通信端末１０（Ｂ）へのＰＴＴ通信方式による通信の接続要求が消滅した旨を示す情報（例えば、４８７  Ｒｅｑｕｅｓｔ  Ｔｅｒｍｉｎａｔｅｄ）を、ＩＭＳネットワーク２８に送信する（Ｓ１５２０）。そして、通信端末１０（Ａ）は、ＡＣＫをＩＭＳネットワーク２８に送信する（Ｓ１５２２）。ＩＭＳネットワーク２８は、通信端末１０（Ａ）からＡＣＫを受信した後、ＡＣＫを通信端末１０（Ｂ）に送信する（Ｓ１５２４）。
【００７６】
また、図１３において、通信端末１０（Ａ）と通信端末１０（Ｂ）との間で半二重通信のＰＴＴ通信方式による通信が確立されている場合（セッション中、Ｓ１５３０）に、通信端末１０（Ａ）がＰＴＴ通信方式による通信を終了する場合には、通信端末１０（Ａ）は、通信を終了する旨を示す情報（例えば、ＢＹＥメッセージ）をＩＭＳネットワーク２８に送信する（Ｓ１５３２）。そして、ＩＭＳネットワーク２８は、ＢＹＥメッセージを通信端末１０（Ｂ）に送信するとともに（Ｓ１５３４）、通信端末１０（Ａ）に対して２００ＯＫを送信する（Ｓ１５３６）。通信端末１０（Ａ）は、ＩＭＳネットワーク２８から２００ＯＫを受信するまでＣＡＮＣＥＬメッセージまたはＢＹＥメッセージの再送を繰り返す。一方、通信端末１０（Ｂ）は、ＢＹＥメッセージを受信した後、２００ＯＫをＩＭＳネットワーク２８に送信する（Ｓ１５３８）。そして、通信端末１０（Ａ）が２００ＯＫをＩＭＳネットワーク２８から受信すると、通信端末１０（Ａ）と通信端末１０（Ｂ）との間のセッションが終了する。
【００７７】
係る場合において、通信端末１０（Ａ）がＰＴＴ通信方式での通信をキャンセルまたは終了した場合に、ＩＭＳネットワーク２８から２００ＯＫを受信するまで、通信端末１０（Ａ）は、通信端末１０（Ｂ）に対するＰＴＴ通信方式による通信接続の要求をすることができない。しかしながら、通信端末１０（Ａ）がＩＭＳネットワーク２８から２００ＯＫを受信できない場合においても、通信端末１０（Ａ）が連続してＰＴＴ通信方式による通信を通信端末１０（Ｂ）に対して要求することを求める場合がある。
【００７８】
そこで、通信端末１０は、ＣＡＮＣＥＬメッセージまたはＢＹＥメッセージをＩＭＳネットワーク２８に送信したときから予め定められた時間を計測するタイマをさらに備える。図１４に示す様に、タイマは、通信端末１０の端末側送信部１０４が端末側送信制御部１０６に制御されて、ＢＹＥメッセージをＩＭＳネットワーク２８に最初に送信したときから時間の計測を開始する（Ｓ１５４２）。端末側送信部１０４は、ＩＭＳネットワーク２８から２００ＯＫを受信するまで、ＢＹＥメッセージの送信を繰り返す（Ｓ１５４４、Ｓ１５４６）。ここで、タイマが予め定められた時間１９００を計測したとき、端末側送信制御部１０６は、端末側受信部１００がＩＭＳネットワーク２８から２００ＯＫを受信していない場合であっても、トランザクションを強制的に開放させる。これにより、端末側送信部１０４は、通信端末１０（Ｂ）に対して新たなＩＮＶＩＴＥメッセージを、ＩＭＳネットワーク２８の制御にかかわらず送信できる（Ｓ１５５０）。
【００７９】
図１５および図１６は、他の実施形態に係る半二重のＰＴＴ通信方式で通信する通信端末１０における処理の流れの一例を示す。まず、図１５を参照する。半二重のＰＴＴ通信方式での通信においては、音声データを送信する時間である発話時間が特定の通信端末１０に偏ることを防止すべく、ＩＭＳネットワーク２８に含まれる通信制御サーバ（例えば、ＰＴＴサーバ２３）がサーバ側タイマをさらに有しており、サーバ側タイマが予め定められた時間１９０２を計測した場合に、ＴＢ＿Ｒｅｖｏｋｅメッセージを、ＰＴＴサーバ２３から通信端末１０に送信する（Ｓ１６００）。
【００８０】
そして、通信端末１０がＴＢ＿ＲｅｖｏｋｅメッセージをＰＴＴサーバ２３から受信した場合に、音声データを通信相手の通信端末１０に送信する権利である発話権を開放するべく、端末側送信制御部１０６は端末側送信部１０４を制御して、ＴＢＣＰ  ＴＢ  ＲｅｌｅａｓｅメッセージをＰＴＴサーバ２３へ送信する（Ｓ１６０４）。なお、端末側送信部１０４がＴＢＣＰ  ＴＢ  ＲｅｌｅａｓｅメッセージをＰＴＴサーバ２３へ送信するまでは、端末側送信部１０４は音声データを送信できる（Ｓ１６０２）。ここで、通信端末１０が一度発話権を開放すると、予め定められた時間１９０４、再度通信端末１０が発話権を取得することが、ＰＴＴサーバ２３により制限される。
【００８１】
しかしながら、ＰＴＴ通信方式では、通信端末１０を利用するユーザが会話中である場合に、会話の状況に応じて、同一のユーザが通信端末１０から他の通信端末１０に音声データを続けて送信することが要求される場合がある。
【００８２】
そこで、図１６を参照する。まず、通信端末１０は、サーバ側タイマが計測する予め定められた時間よりも短い時間を計測する送話時間監視タイマをさらに備える。そして、サーバ側タイマにおいて予め定められた時間１９０８が経過する前に、送話時間監視タイマにおいて予め定められた時間１９０６が経過して、当該経過したタイミングでＴＢＣＰ  ＴＢ  Ｒｅｌｅａｓｅメッセージが端末側送信部１０４からＰＴＴサーバ２３に送信される（Ｓ１６０４）。これにより、通信端末１０は、予め定められた時間、発話権の取得ができなくなる前に、自発的に発話権を開放するので、連続して発話権を取得できる。
【００８３】
図１７は、他の実施形態に係る半二重のＰＴＴ通信方式で通信する通信端末１０における処理の流れの一例を示す。通信端末１０は、半二重のＰＴＴ通信方式での通信を開始することを通信制御部１２０に指示するＰＴＴボタンをさらに備える。ＰＴＴボタンが押し下げられると（Ｓ１７００）、端末側送信部１０４は、端末側送信制御部１０６に制御されて、発話権を獲得する要求を示すメッセージであるＴＢ＿ＲｅｑｕｅｓｔメッセージをＰＴＴサーバ２３に送信する（Ｓ１７０２）。ＰＴＴサーバ２３は、ＴＢ＿Ｒｅｑｕｅｓｔメッセージを通信端末１０から受け取った後、発話権を通信端末１０に与える場合に、発話権の取得を認める旨を通知するメッセージであるＴＢ＿Ｇｒａｎｔｅｄメッセージを通信端末１０に送信する（Ｓ１７０４）。
【００８４】
端末側受信部１００はＴＢ＿Ｇｒａｎｔｅｄメッセージを受信して、ＴＢ＿Ｇｒａｎｔｅｄメッセージを端末側受信制御部１０２に供給する。端末側受信制御部１０２は、ＴＢ＿Ｇｒａｎｔｅｄメッセージを通信制御部１２０に供給する。そして、ＴＢ＿Ｇｒａｎｔｅｄメッセージを受け取った通信制御部１２０は、通信端末１０を、音声データを他の通信端末１０に送信する受信モードに設定すべく、端末側受信制御部１０２および端末側送信制御部１０６を制御する。
【００８５】
そして、通信端末１０においてＰＴＴボタンが押し下げている間、音声を示す音声データであるＴａｌｋ  Ｂｕｒｓｔが、端末側送信部１０４からＰＴＴサーバ２３に送信され続ける（Ｓ１７０６）。続いて、通信端末１０が備えるＰＴＴボタンがリリースされた場合に（Ｓ１７０８）、端末側送信部１０４は、端末側送信制御部１０６に制御されて、発話権を開放することを示すメッセージであるＴＢ＿ＲｅｌｅａｓｅメッセージをＰＴＴサーバ２３に送信する（Ｓ１７１０）。そして、ＰＴＴサーバ２３は、発話権を取得しているユーザがネットワーク上に存在しない旨を示すメッセージであるＴＢ＿Ｉｄｌｅメッセージを、通信端末１０に送信する（Ｓ１７１２）。本実施形態に係る通信端末１０によれば、ＰＴＴボタンを押し下げた状態、および押し下げ続けている状態において、発話が可能となる。
【００８６】
図１８は、他の実施形態に係る半二重のＰＴＴ通信方式で通信する通信端末１０における処理の流れの一例を示す。通信端末１０（Ａ）から通信端末１０（Ｂ）に対して、半二重のＰＴＴ通信方式による通信の接続が要求された場合を示す。まず、通信端末１０（Ａ）は、ＩＮＶＩＴＥメッセージをＩＭＳネットワーク２８を介して通信端末１０（Ｂ）に送信する（Ｓ１８００、Ｓ１８０４）。通信端末１０（Ｂ）は、１８０  ＲｉｎｇｉｎｇメッセージをＩＭＳネットワーク２８に送信する（Ｓ１８０６）。ＩＭＳネットワーク２８は、１８０  Ｒｉｎｇｉｎｇメッセージを通信端末１０（Ａ）に送信する（Ｓ１８０８）。そして、通信端末１０（Ｂ）において、通信端末１０（Ａ）からの通信の接続要求を受け入れる場合には、２００ＯＫをＩＭＳネットワーク２８に送信する（Ｓ１８１４）。ＩＭＳネットワーク２８は、２００ＯＫを通信端末１０（Ａ）に送信する（Ｓ１８１６）。
【００８７】
ここで、通信端末１０（Ａ）は、ＩＮＶＩＴＥメッセージをＩＭＳネットワーク２８に送信した時点から、ＩＭＳネットワーク２８から１８０  Ｒｉｎｇｉｎｇメッセージを受信するまで、発信中を示す発信中音を音声出力部から出力する（Ｓ１８０２）。また、通信端末１０（Ｂ）においては、１８０  ＲｉｎｇｉｎｇメッセージをＩＭＳネットワーク２８に送信した時点から、２００ＯＫをＩＭＳネットワーク２８に送信するまで、呼び出し中であることを示す呼び出し音を、通信端末１０（Ｂ）が備える音声出力部から出力する（Ｓ１８１０）。さらに、通信端末１０（Ａ）は、１８０  ＲｉｎｇｉｎｇメッセージをＩＭＳネットワーク２８から受信した時点から、２００ＯＫをＩＭＳネットワーク２８から受信するまで、ＲＢＴ音を音声出力部から出力する（Ｓ１８１２）。
【００８８】
続いて、通信端末１０（Ａ）が発話権を取得した場合、すなわち、ＩＭＳネットワーク２８からＴＢ＿Ｇｒａｎｔｅｄメッセージを受信した時点で（Ｓ１８２０）、通信端末１０（Ａ）が備える音声出力部は、発話権を取得した旨を示す発話権取得音を出力する（Ｓ１８２２）。一方、通信端末１０（Ｂ）は、ＩＭＳネットワーク２８から発話権が他の通信端末１０（すなわち、通信端末１０（Ａ））に取得された旨を示すメッセージであるＴＢ＿Ｔａｋｅｎメッセージを受信した時点で（Ｓ１８２４）、通信端末１０（Ｂ）が備える音声出力部は、発話権が取得された旨を示す発話権被使用音を出力する（Ｓ１８２６）。
【００８９】
そして、通信端末１０（Ａ）が発話権を開放したときには、ＩＭＳネットワーク２８は、通信端末１０（Ａ）にＴＢ＿Ｒｅｌａｓｅメッセージを送信するとともに（Ｓ１８２８）、通信端末１０（Ａ）および通信端末１０（Ｂ）にＴＢ＿Ｉｄｌｅメッセージを送信する（Ｓ１８３０、Ｓ１８３４）。この場合において、通信端末１０（Ａ）および通信端末１０（Ｂ）が備える音声出力部はそれぞれ、発話権を取得することができる状態になったことを示す発話可能音を出力する（Ｓ１８３２、Ｓ１８３６）。
【００９０】
通信端末１０（Ａ）および通信端末１０（Ｂ）が備える音声出力制御部はそれぞれ、発信中音、呼び出し音、ＲＢＴ音、発話権取得音、発話権被使用音、および発話可能音等の複数のイベントについて、予め定められたテーマに沿った音を割り当てて、音声出力部から出力させる。音声出力制御部は、予め定められた複数のテーマから、ユーザが所望するテーマをユーザに選択させて、ユーザが選択したテーマに沿った音を、複数のイベントのそれぞれに対応づけて音声出力部から出力させる。なお、予め定められたテーマに含まれる音は、例えば、宇宙、ジャングル、サバンナ、動物、および植物等を連想させる一連の音のまとまりであってよい。
【００９１】
また、通信端末１０は、表示部および表示部の表示を制御する表示制御部をさらに備える。表示制御部は、通信端末１０において予め定められたイベントが発生した場合に、当該イベントに予め対応づけられた情報を表示部に表示させる。なお、通信端末１０は、予め定められたイベントに対応づけて、当該イベントの内容を示す情報（例えば、当該イベントの内容を示すテキストデータ、画像データ、および音声データ）を格納するイベント情報格納部をさらに備えていてよい。表示制御部は、予め定められたイベントが発生した場合に、当該イベントに対応づけてイベント情報格納部が格納しているイベントの内容を示す情報を抽出して、表示部に表示させる。
【００９２】
例えば、通信相手の通信端末１０から所定の通信方式による通信接続の要求を端末側受信部１００が受け取った場合に、表示制御部は表示部に、通信相手の通信端末１０を識別する通信端末識別情報とともに、通信接続の要求を受け取った旨を示すテキストデータおよび画像データを表示する。また、端末側受信部１００が、通信相手の通信端末１０からＣｏｎｔａｃｔ登録要求通知を受信した場合に、表示制御部は表示部に、通信相手の通信端末１０からＣｏｎｔａｃｔに登録を所望する旨を示すガイアログを表示する。係る場合において、音声制御部は通信相手の通信端末１０からＣｏｎｔａｃｔに登録を所望する旨を示す音声を、音声出力部から合わせて出力する。
【００９３】
また、端末側受信部１００が、通信相手の通信端末１０から登録応答通知を受信した場合に、表示制御部は、その旨を示すダイアログを表示部に表示する。また、端末側送信部１０４から通信相手の通信端末１０に対して、Ｃｏｎｔａｃｔに通信相手の通信端末１０を登録を所望する旨の情報をした場合であって、通信相手の通信端末１０からの応答が予め定められた期間の経過後になかった場合に、表示制御部は、無視応答通知を表示部に表示させるとともに、音声制御部は無視応答を示す音声を音声出力部に出力させる。
【００９４】
また、端末側受信部１００が、通信相手の通信端末１０のＣｏｎｔａｃｔから通信端末１０の登録が削除された旨の通知を受信した場合に、表示制御部は、登録解除通知を表示部に表示させるとともに、音声出力制御部は登録解除を示す音声を音声出力部に出力させる。さらに、端末側受信部１００が、通信相手の通信端末１０のプレゼンス情報の提供を受けることができなくなった旨を示す信号を受信した場合に、表示制御部は、停止中通知を表示部に表示させるとともに、音声出力部は停止中を示す音声を音声出力部に出力させる。
【００９５】
図１９は、他の実施形態に係る通信端末１０の処理の一例を示す。通信端末１０は、他の複数の通信端末１０の現在の状況を示す複数のプレゼンス情報のうち、表示部に表示することが許可されているプレゼンス情報を提供している通信端末１０を識別する通信端末識別子を格納するコンタクトリストをさらに備える。コンタクトリストは、通信端末識別子に対応づけて、当該通信端末識別子で識別される通信端末を利用するユーザを示す情報（例えば、氏名、ニックネーム、およびメールアドレス）を格納する。
【００９６】
例えば、表示部の表示画面１９５にコンタクトリストの内容が表示された状態を、図１９に示す。まず、表示制御部は表示部を制御して、表示画面１９５にコンタクトリストが格納しているユーザを示す情報を表示させる。例えば、表示部は、表示画面１９５に、"Ａさん"、"Ｂさん"、"Ｃさん"、"Ｄさん"、および"Ｅさん"と表示する。ここで、通信端末１０を利用するユーザは、コンタクトリストが格納している通信端末識別子を、任意の複数のグループに分類できる。例えば、家族、友人、会社、およびその他等の複数のグループに複数の通信端末識別子を分類して、コンタクトリストに格納できる。
【００９７】
例えば、ユーザが、"Ａさん"、"Ｂさん"、および"Ｄさん"を"友達グループ"に分類した場合は、コンタクトリストは、"Ａさん"、"Ｂさん"、および"Ｄさん"に対応する通信端末識別子に、"友達グループ"を示す識別情報をさらに対応づけて格納する。これにより、ユーザがコンタクトリストから"友達グループ"を選択して、ＰＴＴ通信方式による通信の接続要求をすると、"Ａさん"、"Ｂさん"、および"Ｄさん"のそれぞれが利用する複数の通信端末１０のそれぞれに対して、ＰＴＴ通信方式による通信の接続要求が、通信端末１０から発信される。
【００９８】
図２０は、本実施形態に係る通信端末１０または通信制御サーバ２０のハードウェア構成の一例を示す。なお、ＳＩＰサーバ２２、ＰＴＴサーバ２３、およびＰｏＣサーバ２４は通信制御サーバ２０の一例である。本実施形態に係る通信端末１０または通信制御サーバ２０は、ホスト・コントローラ１５８２により相互に接続されるＣＰＵ１５０５、ＲＡＭ１５２０、グラフィック・コントローラ１５７５、および表示装置１５８０を有するＣＰＵ周辺部と、入出力コントローラ１５８４によりホスト・コントローラ１５８２に接続される通信インターフェイス１５３０、ハードディスクドライブ１５４０、およびＣＤ−ＲＯＭドライブ１５６０を有する入出力部と、入出力コントローラ１５８４に接続されるＲＯＭ１５１０、フレキシブルディスク・ドライブ１５５０、および入出力チップ１５７０を有するレガシー入出力部とを備える。
【００９９】
ホスト・コントローラ１５８２は、ＲＡＭ１５２０と、高い転送レートでＲＡＭ１５２０をアクセスするＣＰＵ１５０５およびグラフィック・コントローラ１５７５とを接続する。ＣＰＵ１５０５は、ＲＯＭ１５１０およびＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【０１００】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワーク４０を介して他の装置と通信する。ハードディスクドライブ１５４０は、通信端末１０または通信制御サーバ２０内のＣＰＵ１５０５が使用するプログラムおよびデータを格納する。ＣＤ−ＲＯＭドライブ１５６０は、ＣＤ−ＲＯＭ１５９５からプログラムまたはデータを読み取り、ＲＡＭ１５２０を介してハードディスクドライブ１５４０に提供する。
【０１０１】
また、入出力コントローラ１５８４には、ＲＯＭ１５１０と、フレキシブルディスク・ドライブ１５５０、および入出力チップ１５７０の比較的低速な入出力装置とが接続される。ＲＯＭ１５１０は、通信端末１０または通信制御サーバ２０が起動時に実行するブート・プログラム、通信端末１０または通信制御サーバ２０のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【０１０２】
ＲＡＭ１５２０を介してハードディスクドライブ１５４０に提供される通信プログラムは、フレキシブルディスク１５９０、ＣＤ−ＲＯＭ１５９５、またはＩＣカード等の記録媒体に格納されて利用者によって提供される。通信プログラムは、記録媒体から読み出され、ＲＡＭ１５２０を介して通信端末１０または通信制御サーバ２０内のハードディスクドライブ１５４０にインストールされ、ＣＰＵ１５０５において実行される。通信端末１０または通信制御サーバ２０にインストールされて実行される通信プログラムは、ＣＰＵ１５０５等に働きかけて、通信端末１０または通信制御サーバ２０を、図１から図１９にかけて説明した端末側受信部１００、端末側受信制御部１０２、端末側送信部１０４、端末側送信制御部１０６、通信端末識別子取得部１１０、通信制御部１２０、通信許可部１２２、通信禁止部１２４、セキュリティレベル格納部１３０、通信方式格納部１４０、不許可通信方式格納部１５０、通信量計測部１６０、通信量格納部１６５、通信方式選択部１７０、および通信方式更新部１８０として機能させる。
【０１０３】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【０１０４】
【図１】通信システム３０の概念図である。
【図２】通信端末１０の機能構成を示すブロック図である。
【図３】セキュリティレベル格納部１３０のデータ構造を示す図である。
【図４】通信方式格納部１４０のデータ構造を示す図である。
【図５】通信端末１０における処理の流れを示す図である。
【図６】通信システム３０における処理の流れを示す図である。
【図７】ＰＴＴ通信方式の通信システム３０の概要を示す図である。
【図８】ＰＴＴ通信方式の通信システム３０の概要を示す図である。
【図９】ＰＴＴ通信方式の通信システム３０の概要を示す図である。
【図１０】ＰＴＴ通信方式の通信システム３０における処理の流れを示す図である。
【図１１】通信端末１０の処理の流れを示す図である。
【図１２】通信端末１０の処理の流れを示す図である。
【図１３】通信端末１０の処理の流れを示す図である。
【図１４】ＰＴＴ通信方式で通信する通信端末１０の処理の流れを示す図である。
【図１５】ＰＴＴ通信方式で通信する通信端末１０の処理の流れを示す図である。
【図１６】ＰＴＴ通信方式で通信する通信端末１０の処理の流れを示す図である。
【図１７】ＰＴＴ通信方式で通信する通信端末１０の処理の流れを示す図である。
【図１８】ＰＴＴ通信方式で通信する通信端末１０の処理の流れを示す図である。
【図１９】通信端末１０の処理を示す図である。
【図２０】通信端末１０および通信制御サーバ２０のハードウェア構成を示すブロック図である。
【符号の説明】
【０１０５】
１０  通信端末
２０  通信制御サーバ
２２  ＳＩＰサーバ
２３  ＰＴＴサーバ
２４  ＰｏＣサーバ
２６  プレゼンスサーバ
２８  ＩＭＳネットワーク
３０  通信システム
４０  ネットワーク
１００  端末側受信部
１０２  端末側受信制御部
１０４  端末側送信部
１０６  端末側送信制御部
１１０  通信端末識別子取得部
１２０  通信制御部
１２２  通信許可部
１２４  通信禁止部
１３０  セキュリティレベル格納部
１４０  通信方式格納部
１５０  不許可通信方式格納部
１６０  通信量計測部
１６５  通信量格納部
１７０  通信方式選択部
１８０  通信方式更新部
１９５  表示画面
１５０５  ＣＰＵ
１５１０  ＲＯＭ
１５２０  ＲＡＭ
１５３０  通信インターフェイス
１５４０  ハードディスクドライブ
１５５０  フレキシブルディスク・ドライブ
１５６０  ＣＤ−ＲＯＭドライブ
１５７０  入出力チップ
１５７５  グラフィック・コントローラ
１５８０  表示装置
１５８２  ホスト・コントローラ
１５８４  入出力コントローラ
１５９０  フレキシブルディスク
１５９５  ＣＤ−ＲＯＭ
１９００、１９０２、１９０４、１９０６、１９０８  時間
２０００、２１００、２２００  通信端末識別子
【図１】
2008104116.tif 000003
【図２】
2008104116.tif 000004
【図３】
2008104116.tif 000005
【図４】
2008104116.tif 000006
【図５】
2008104116.tif 000007
【図６】
2008104116.tif 000008
【図７】
2008104116.tif 000009
【図８】
2008104116.tif 000010
【図９】
2008104116.tif 000011
【図１０】
2008104116.tif 000012
【図１１】
2008104116.tif 000013
【図１２】
2008104116.tif 000014
【図１３】
2008104116.tif 000015
【図１４】
2008104116.tif 000016
【図１５】
2008104116.tif 000017
【図１６】
2008104116.tif 000018
【図１７】
2008104116.tif 000019
【図１８】
2008104116.tif 000020
【図１９】
2008104116.tif 000021
【図２０】
2008104116.tif 000022